【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
発光素子と、サンプリング用トランジスタと、駆動用トランジスタと、保持容量とを含み、
サンプリング用トランジスタのゲートは走査線に接続され、ソース及びドレインの一方は信号線に接続され、他方は駆動用トランジスタのゲートに接続され、
駆動用トランジスタのソースは発光素子に接続され、ドレインは、第１電位と第２電位とで切り替わる電源線に接続され、
保持容量は、駆動用トランジスタのソースとゲートの間に接続されており、
駆動用トランジスタは、保持容量に保持された信号電位に応じて、駆動電流を発光素子に流し、
サンプリング用トランジスタが導通している間であって、第２電位と異なる基準電位が信号線に供給されている間に、電源線の電位が第２電位から第１電位に切り替えられ、
サンプリング用トランジスタが導通している間であって、信号電位が信号線に供給されている間に、信号電位が保持容量に保持される画素回路。
【請求項２】
サンプリング用トランジスタが導通している間であって、第１電位と第２電位の間にある基準電位が信号線に供給されている間に、電源線の電位が第２電位から第１電位に切り替えられる請求項１に記載の画素回路。
【請求項３】
保持容量の一端に基準電位を印加し、他端に第２電位を印加し、その後、サンプリング用トランジスタが導通している間であって、基準電位が信号線に供給されている間に、電源線の電位が第２電位から第１電位に切り替えられる請求項１に記載の画素回路。
【請求項４】
保持容量の一端に基準電位を印加し、他端に第２電位を印加し、保持容量の両端の電位差を駆動用トランジスタの閾電圧より大きくし、その後、サンプリング用トランジスタが導通している間であって、基準電位が信号線に供給されている間に、電源線の電位が第２電位から第１電位に切り替えられ、保持容量の他端の電位を保持容量の一端の電位に向かって変化させる請求項３に記載の画素回路。
【請求項５】
走査線は線順次走査され、電源線も走査線の線順次走査に合わせて走査され、順次、電源線の電位が第２電位から第１電位に切り替えられる請求項１に記載の画素回路。
【請求項６】
発光素子と、サンプリング用トランジスタと、駆動用トランジスタと、保持容量とを含み、
サンプリング用トランジスタのゲートは走査線に接続され、ソース及びドレインの一方は信号線に接続され、他方は駆動用トランジスタのゲートに接続され、
駆動用トランジスタのソースは発光素子に接続され、ドレインは、第１電位と第２電位とで切り替わる電源線に接続され、
保持容量は、駆動用トランジスタのソースとゲートの間に接続されており、
駆動用トランジスタは、保持容量に保持された信号電位に応じて、駆動電流を発光素子に流し、
サンプリング用トランジスタが導通している間であって、第２電位と異なる基準電位が信号線に供給されている間に、電源線の電位を第２電位から第１電位に切り替え、
サンプリング用トランジスタが導通している間であって、信号電位を信号線に供給している間に、信号電位を保持容量に保持する画素回路の駆動方法。
【請求項７】
画素アレイ部とこれを駆動する駆動部とから成り、
画素アレイ部は、行状の走査線と、列状の信号線と、両者が交差する部分に配された画素とを備え、
画素は、発光素子と、サンプリング用トランジスタと、駆動用トランジスタと、保持容量とを含み、
サンプリング用トランジスタのゲートは走査線に接続され、ソース及びドレインの一方は信号線に接続され、他方は駆動用トランジスタのゲートに接続され、
駆動用トランジスタのソースは発光素子に接続され、ドレインは電源線に接続され、
保持容量は、駆動用トランジスタのソースとゲートの間に接続されており、
駆動部は、基準電位及び信号電位を供給する映像信号供給回路と、電源線に第１電位と第２電位を供給する電源スキャナとを備え、
駆動用トランジスタは、電源線から電流の供給を受け、保持容量に保持された信号電位に応じて、駆動電流を発光素子に流し、
サンプリング用トランジスタが導通している間であって、第２電位と異なる基準電位が信号線に供給されている間に、電源線の電位が第２電位から第１電位に切り替えられ、
サンプリング用トランジスタが導通している間であって、信号電位が信号線に供給されている間に、信号電位が保持容量に保持される表示装置。
【請求項８】
サンプリング用トランジスタが導通している間であって、第１電位と第２電位の間にある基準電位が信号線に供給されている間に、電源線の電位が第２電位から第１電位に切り替えられる請求項７に記載の表示装置。
【請求項９】
保持容量の一端に基準電位を印加し、他端に第２電位を印加し、その後、サンプリング用トランジスタが導通している間であって、基準電位が信号線に供給されている間に、電源線の電位が第２電位から第１電位に切り替えられる請求項７に記載の表示装置。
【請求項１０】
保持容量の一端に基準電位を印加し、他端に第２電位を印加し、保持容量の両端の電位差を駆動用トランジスタの閾電圧より大きくし、その後、サンプリング用トランジスタが導通している間であって、基準電位が信号線に供給されている間に、電源線の電位が第２電位から第１電位に切り替えられ、保持容量の他端の電位を保持容量の一端の電位に向かって変化させる請求項９に記載の表示装置。
【請求項１１】
電源スキャナは、各電源線を線順次走査して、順次、各電源線の電位を第２電位から第１電位に切り替える請求項７に記載の表示装置。
【請求項１２】
画素アレイ部とこれを駆動する駆動部とから成り、
画素アレイ部は、行状の走査線と、列状の信号線と、両者が交差する部分に配された画素とを備え、
画素は、発光素子と、サンプリング用トランジスタと、駆動用トランジスタと、保持容量とを含み、
サンプリング用トランジスタのゲートは走査線に接続され、ソース及びドレインの一方は信号線に接続され、他方は駆動用トランジスタのゲートに接続され、
駆動用トランジスタのソースは発光素子に接続され、ドレインは電源線に接続され、
保持容量は、駆動用トランジスタのソースとゲートの間に接続されており、
駆動部は、基準電位及び信号電位を供給する映像信号供給回路と、電源線に第１電位と第２電位を供給する電源スキャナとを備え、
駆動用トランジスタは、電源線から電流の供給を受け、保持容量に保持された信号電位に応じて、駆動電流を発光素子に流し、
サンプリング用トランジスタが導通している間であって、第２電位と異なる基準電位が信号線に供給されている間に、電源線の電位を第２電位から第１電位に切り替え、
サンプリング用トランジスタが導通している間であって、信号電位を信号線に供給している間に、信号電位を保持容量に保持する表示装置の駆動方法。
【手続補正２】
【補正対象書類名】明細書
【補正対象項目名】００３１
【補正方法】変更
【補正の内容】
【００３１】
図６Ｂは、映像信号電位のサンプリング時及び移動度補正時における画素の動作を説明するもので、理解を容易にするため発光素子３Ｄの寄生容量３Ｉも表してある。映像信号電位のサンプリング時、サンプリング用トランジスタ３Ａはオン状態であるため駆動用トランジスタ３Ｂのゲート電位Ｖｇは映像信号電位Ｖｉｎとなり、駆動用トランジスタ３Ｂのゲート‐ソース間電圧ＶｇｓはＶｉｎ＋Ｖｔｈになる。このとき駆動用トランジスタ３Ｂはオン状態となり、さらに発光素子３Ｄはカットオフ状態であるため、ドレイン‐ソース間電流Ｉｄｓが発光素子容量３Ｉに流れ込む。ドレイン‐ソース間電流Ｉｄｓが発光素子容量３Ｉに流れ込むと、発光素子容量３Ｉは充電を開始し、発光素子３Ｄのアノード（したがって駆動用トランジスタ３Ｂのソース電位Ｖｓ）が上昇を開始する。駆動用トランジスタ３Ｂのソース電位ＶｓがΔＶだけ上昇すると、駆動用トランジスタ３Ｂのゲート‐ソース間電圧ＶｇｓはΔＶだけ減少する。これが負帰還による移動度補正動作であり、ゲート‐ソース間電圧Ｖｇｓの減少量ΔＶは、ΔＶ＝Ｉｄｓ・ｔ／Ｃｅｌで決定され、ΔＶが移動度補正のためのパラメータとなる。ここでＣｅｌは発光素子容量３Ｉの容量値を示し、ｔは移動度補正期間（第１のタイミングと第２のタイミングとの間の期間）を示す。